(57)【要約】【課題】装置の利用状況に応じて紙幣束の精査処理を適切に行うことが可能な方法を提供する。【解決手段】複数枚の紙幣を帯で結束した紙幣束を収納する収納庫と、前記収納庫の内部に設けられ、前記収納庫に収納された紙幣束を計数する計数部材と、前記収納庫の外部に設けられ、前記収納庫から出された紙幣束の金種を判別する判別部材と、前記収納庫に収納された紙幣束の精査処理を行う制御部と、前回の精査処理以降に前記収納庫に使用者がアクセス可能な状態となっていたか否かを検知する検知部と、を備え、前記制御部は、前記精査処理を行う際に、前記検知部によって前記収納庫にアクセス可能な状態となっていなかったと検知された場合には、前記計数部材によって紙幣束を計数させ、前記検知部によって前記収納庫にアクセス可能な状態となっていたと検知された場合には、前記判別部材によって紙幣束の金種を判別させる、現金処理装置。【選択図】図８
2015132911.tif 000002
【特許請求の範囲】
【請求項１】
複数枚の紙幣を帯で結束した紙幣束を収納する収納庫と、
前記収納庫の内部に設けられ、前記収納庫に収納された紙幣束を計数する計数部材と、
前記収納庫の外部に設けられ、前記収納庫から出された紙幣束の金種を判別する判別部材と、
前記収納庫に収納された紙幣束の精査処理を行う制御部と、
前回の精査処理以降に前記収納庫に使用者がアクセス可能な状態となっていたか否かを検知する検知部と、
を備え、
前記制御部は、前記精査処理を行う際に、
前記検知部によって前記収納庫にアクセス可能な状態となっていなかったと検知された場合には、前記計数部材によって紙幣束を計数させ、
前記検知部によって前記収納庫にアクセス可能な状態となっていたと検知された場合には、前記判別部材によって紙幣束の金種を判別させる、現金処理装置。
【請求項２】
請求項１に記載の現金処理装置において、
前記収納庫は、着脱部に着脱可能に装着されており、
前記検知部は、前回の精査処理以降に前記収納庫が前記着脱部から外されていた場合には、前記収納庫にアクセス可能な状態となっていたと検知する、現金処理装置。
【請求項３】
請求項１又は２に記載の現金処理装置において、
前記収納庫に開閉可能に設けられた開閉部材を更に備え、
前記検知部は、前回の精査処理以降に前記開閉部材が開いていた場合には、前記収納庫にアクセス可能な状態となっていたと検知する、現金処理装置。
【請求項４】
請求項１〜３のいずれか１項に記載の現金処理装置において、
前記検知部によって前記収納庫にアクセス可能な状態となっていたと検知された場合に、前記アクセス可能な状態となっていたことを示すフラグ情報を記憶する記憶部を更に備え、
前記制御部は、前記精査処理を行う際に、前記記憶部に前記フラグ情報が記憶されている場合には、前記判別部材によって紙幣束の金種を判別させる、現金処理装置。
【請求項５】
請求項４に記載の現金処理装置において、
前記制御部は、前記精査処理が行われる迄、前記記憶部に記憶された前記フラグ情報を保持させる、現金処理装置。
【請求項６】
請求項１〜５のいずれか１項に記載の現金処理装置において、
前記計数部材は、前記収納庫において前記紙幣束の集積方向に移動して前記帯を検出して、前記紙幣束を計数する検出センサである、現金処理装置。
【請求項７】
請求項１〜６のいずれか１項に記載の現金処理装置において、
前記紙幣束が搬送される搬送路と、
前記搬送路から前記収納庫へ紙幣束を挿入させ、及び前記収納庫から前記搬送路へ紙幣束を排出させる挿入排出部と、
を更に備える、現金処理装置。
【請求項８】
請求項７に記載の現金処理装置において、
前記判別部材は、前記挿入排出部に設けられ、前記紙幣束の画像を取得して金種を判別する判別センサである、現金処理装置。
【請求項９】
請求項１〜８のいずれか１項に記載の現金処理装置において、
前記制御部は、前記現金処理装置の初期動作時に、
前記検知部によって前記収納庫にアクセス可能な状態となっていたと検知された場合には、表示部に前記精査処理の実行を促す表示を行わせる、現金処理装置。
【請求項１０】
請求項１〜８のいずれか１項に記載の現金処理装置において、
前記制御部は、前記現金処理装置の初期動作時に、
前記検知部によって前記収納庫にアクセス可能な状態となっていたと検知された場合には、表示部に前記精査処理を開始する旨の表示を行わせる、現金処理装置。
【発明の詳細な説明】
【技術分野】
【０００１】
本発明は、現金処理装置に関し、より詳細には、収納庫に収納された紙幣束の精査を行う現金処理装置に関する。
【背景技術】
【０００２】
近年、金融機関の営業店等に、現金（紙幣や硬貨）に関する各種処理を行う出納システムが設置されている。出納システムは、紙幣の入金や出金等を行う現金処理装置を有する。
【０００３】
上記の現金処理装置の中には、複数枚の紙幣を帯で結束した紙幣束を収納する収納庫を有するものがある。かかる現金処理装置においては、収納庫に紙幣束が適切に収納されているかを確認するために、紙幣束の精査処理が行なわれる。
【０００４】
精査処理の一の方法として、特許文献１には、紙幣束を収納庫から外へ移動させる際に紙幣束を計数する方法が開示されている。この際、紙幣束の計数だけで無く、紙幣束の金種も判別可能である。精査処理の別の方法として、特許文献２には、収納庫内に移動可能に設けられたセンサによって、紙幣束を収納庫に収納させた状態で紙幣束を計数する方法が開示されている。
【先行技術文献】
【特許文献】
【０００５】
【特許文献１】特開２００３−１４１５９９号公報
【特許文献２】特開平１１−２５０３１２号公報
【発明の概要】
【発明が解決しようとする課題】
【０００６】
しかし、特許文献１に開示の方法の場合には、紙幣束を一束ずつ収納庫の外へ移動させて計数や金種を判別するため、精査処理の時間が長くなる。一方で、特許文献２に開示の方法の場合には、センサによって収納庫内の紙幣束の計数は可能であるが、紙幣束の金種を判別できない。このため、異金種の紙幣束が収納庫に混入されていても、当該紙幣束を検出できない。
【０００７】
そこで、本発明は、上記問題に鑑みてなされたものであり、本発明の目的とするところは、現金処理装置の利用状況に応じて紙幣束の精査処理を適切に行うことが可能な方法を提供することにある。
【課題を解決するための手段】
【０００８】
上記課題を解決するために、本発明のある観点によれば、複数枚の紙幣を帯で結束した紙幣束を収納する収納庫と、前記収納庫の内部に設けられ、前記収納庫に収納された紙幣束を計数する計数部材と、前記収納庫の外部に設けられ、前記収納庫から出された紙幣束の金種を判別する判別部材と、前記収納庫に収納された紙幣束の精査処理を行う制御部と、前回の精査処理以降に前記収納庫に使用者がアクセス可能な状態となっていたか否かを検知する検知部と、を備え、前記制御部は、前記精査処理を行う際に、前記検知部によって前記収納庫にアクセス可能な状態となっていなかったと検知された場合には、前記計数部材によって紙幣束を計数させ、前記検知部によって前記収納庫にアクセス可能な状態となっていたと検知された場合には、前記判別部材によって紙幣束の金種を判別させる、現金処理装置が提供される。
【０００９】
また、上記の現金処理装置において、前記収納庫は、着脱部に着脱可能に装着されており、前記検知部は、前回の精査処理以降に前記収納庫が前記着脱部から外されていた場合には、前記収納庫にアクセス可能な状態となっていたと検知しても良い。
【００１０】
また、上記の現金処理装置は、前記収納庫に開閉可能に設けられた開閉部材を更に備え、前記検知部は、前回の精査処理以降に前記開閉部材が開いていた場合には、前記収納庫にアクセス可能な状態となっていたと検知しても良い。
【００１１】
また、上記の現金処理装置は、前記検知部によって前記収納庫にアクセス可能な状態となっていたと検知された場合に、前記アクセス可能な状態となっていたことを示すフラグ情報を記憶する記憶部を更に備え、前記制御部は、前記精査処理を行う際に、前記記憶部に前記フラグ情報が記憶されている場合には、前記判別部材によって紙幣束の金種を判別させても良い。
【００１２】
また、上記の現金処理装置において、前記制御部は、前記精査処理が行われる迄、前記記憶部に記憶された前記フラグ情報を保持させても良い。
【００１３】
また、上記の現金処理装置において、前記計数部材は、前記収納庫において前記紙幣束の集積方向に移動して前記帯を検出して、前記紙幣束を計数する検出センサであっても良い。
【００１４】
また、上記の現金処理装置は、前記紙幣束が搬送される搬送路と、前記搬送路から前記収納庫へ紙幣束を挿入させ、及び前記収納庫から前記搬送路へ紙幣束を排出させる挿入排出部と、を更に備えても良い。
【００１５】
また、上記の現金処理装置において、前記判別部材は、前記挿入排出部に設けられ、前記紙幣束の画像を取得して金種を判別する判別センサであっても良い。
【００１６】
また、上記の現金処理装置において、前記制御部は、前記現金処理装置の初期動作時に、前記検知部によって前記収納庫にアクセス可能な状態となっていたと検知された場合には、表示部に前記精査処理の実行を促す表示を行わせても良い。
【００１７】
また、上記の現金処理装置において、前記制御部は、前記現金処理装置の初期動作時に、前記検知部によって前記収納庫にアクセス可能な状態となっていたと検知された場合には、表示部に前記精査処理を開始する旨の表示を行わせても良い。
【発明の効果】
【００１８】
以上説明したように本発明によれば、現金処理装置の利用状況に応じて紙幣束の精査処理を適切に行うことが可能となる。
【図面の簡単な説明】
【００１９】
【図１】本発明の一実施形態に係る紙幣束処理装置１０の内部構成の一例を示す概略図である。
【図２】一実施形態に係る紙幣束を示す模式図である。
【図３】一実施形態に係る収納庫４８の外観構成の一例を示す概略斜視図である。
【図４】一実施形態に係る収納庫４８Ａ〜４８Ｄ、及びハンドプッシャ部４４の構成の一例を示す概略図である。
【図５】一実施形態に係る庫内精査処理の流れを説明するための模式図である。
【図６Ａ】一実施形態に係る庫外精査処理における紙幣束の移動の流れを説明するための模式図である。
【図６Ｂ】一実施形態に係る庫外精査処理における紙幣束の移動の流れを説明するための模式図である。
【図７】庫外精査処理を行う際のハンドプッシャ部４４の動作の一例を示す模式図である。
【図８】一実施形態に係る紙幣束処理装置１０の機能構成を示すブロック図である。
【図９】一実施形態に係る表示部２１８による表示例を示す模式図である。
【図１０】一実施形態に係る紙幣束処理装置１０の動作例を説明するためのフローチャートである。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜１．紙幣束処理装置の構成＞
図１及び図２を参照しながら、本発明の一実施形態に係る現金処理装置の一例である紙幣束処理装置１０の構成の一例について説明する。図１は、一実施形態に係る紙幣束処理装置１０の内部構成の一例を示す概略図である。図２は、一実施形態に係る紙幣束を示す模式図である。
【００２２】
紙幣束処理装置１０は、例えば金融機関の営業店に設置された現金（紙幣や硬貨）に関する入金や出金等の各種処理を行う出納システムの一部を成す。ここで、出納システムは、紙幣（バラ紙幣）を１枚単位で入出金する紙幣入出金機と、金種別の紙幣を所定枚数（例えば１００枚）毎に結束して紙幣束にした状態で収納し、また紙幣束を出金する紙幣束支払機である紙幣束処理装置１０と、を有する。
【００２３】
紙幣束処理装置１０は、紙幣入出金機から送られた紙幣を集積し、集積した紙幣を所定枚数毎に結束して紙幣束にして収納する機能を有する。図１に示すように、紙幣束処理装置１０は、装置間搬送部２０と、集積部２４と、ハンド部２８と、結束部３２と、エレベータ部３６と、搬送路４０と、ハンドプッシャ部４４と、収納庫４８Ａ〜４８Ｄと、オーバーフロー庫５２と、制御ユニット６０と、を有する。
【００２４】
装置間搬送部２０は、紙幣束処理装置１０の上部に設けられている。装置間搬送部２０は、紙幣入出金機と連結されており、紙幣入出金機との間で紙幣の搬送を行う。また、装置間搬送部２０は、紙幣入出金機から送られた紙幣を１枚ずつ集積部２４に搬送する搬送路を有する。
【００２５】
集積部２４は、装置間搬送部２０から順次搬送されてきた紙幣を集積する。集積部２４は、結束される所定枚数毎に紙幣を集積する。また、集積部２４は、例えば金種毎に紙幣を集積する。
【００２６】
ハンド部２８は、集積部２４に集積された所定枚数毎の紙幣を受け取り、集積部２４の下方に位置する結束部３２へ渡す。ハンド部２８は、昇降可能に構成されており、集積部２４から受け取った紙幣を保持したまま下降する。
【００２７】
結束部３２は、ハンド部２８から受け取った所定枚数の紙幣を纏めて帯で結束する。この結果、バラ紙幣から図２に示す紙幣束Ｔが作られることになる。なお、図２に示すように、帯Ｓは、紙幣の金額等の金種を判別できる部分以外に対して結束される。これにより、後に説明するように、紙幣束の金種を判別できる。結束部３２は、紙幣束をエレベータ部３６に渡す。
【００２８】
エレベータ部３６は、紙幣束処理装置１０の前端に上下方向に形成された昇降路３７内を上下方向に移動する。エレベータ部３６は、紙幣束を保持可能なステージ３８を有する。例えば、エレベータ部３６は、結束部３２から渡された紙幣束を保持したまま、搬送路４０に対向する位置まで下降する。なお、エレベータ部３６の上方には、紙幣束を出金する出金口が設けられている。
【００２９】
搬送路４０は、紙幣束が搬送される通路である。搬送路４０は、エレベータ部３６、収納庫４８Ａ〜４８Ｄ、及びオーバーフロー庫５２と繋がっており、これらの間で搬送路４０を介して紙幣束の受け渡しが行なわれる。例えば、後述する精査処理の際には、収納庫４８Ａ〜４８Ｄから出された紙幣束が、エレベータ部３６へ搬送された後に、収納庫４８Ａ〜４８Ｄへ戻される。
【００３０】
ハンドプッシャ部４４は、搬送路４０に移動可能に設けられている。例えば、ハンドプッシャ部４４は、収納庫４８Ａ〜４８Ｄやオーバーフロー庫５２から出された紙幣束を搬送する機能を有する。また、ハンドプッシャ部４４は、収納庫４８Ａ〜４８Ｄやオーバーフロー庫５２へ紙幣束を押し込む機能も有する。なお、ハンドプッシャ部４４の詳細構成については、後述する。
【００３１】
収納庫４８Ａ〜４８Ｄは、複数枚の紙幣を帯で結束した紙幣束を金種別に収納する。本実施形態では、収納庫４８Ａ〜４８Ｄは、着脱部（図８の着脱部１８０）に着脱可能に装着されたカセットである。例えば、収納庫４８Ａ〜４８Ｄに収納された紙幣束を回収する場合や、収納庫４８Ａ〜４８Ｄに紙幣束を補充する場合に、収納庫４８Ａ〜４８Ｄから取り外される。なお、収納庫４８Ａ〜４８Ｄの詳細構成については、後述する。
【００３２】
オーバーフロー庫５２は、収納庫４８Ａ〜４８Ｄに収納されない紙幣束を収納する。例えば、収納庫４８Ａ〜４８Ｄのうちの収納対象の収納庫が満杯になった際に、紙幣束がオーバーフロー庫５２に収納される。
【００３３】
制御ユニット６０は、紙幣束処理装置１０の動作全体を制御する。制御ユニット６０は、上述した各構成要素の動作を制御する制御部（例えば、図８の制御部２１６）と、制御部が実行するプログラムや各種のデータを記憶する記憶部（図８の記憶部２１４）と、を有する。
【００３４】
なお、上記では、収納庫４８Ａ〜４８Ｄを着脱部１８０から取り出して紙幣束の補充等が行わることとしたが、これに限定されない。例えば、収納庫４８Ａ〜４８Ｄが装着された状態で、使用者が収納庫４８Ａ〜４８Ｄに紙幣束を補充等しても良い。
【００３５】
＜２．収納庫、及びハンドプッシャ部の詳細構成＞
まず、図３及び図４を参照しながら、一実施形態に係る収納庫４８Ａ〜４８Ｄ、及びハンドプッシャ部４４の詳細構成の一例について説明する。４つの収納庫４８Ａ〜４８Ｄの構成は、同様である。そこで、以下では、収納庫４８Ａ（単に、収納庫４８と呼ぶ）を例に挙げて説明する。
【００３６】
（収納庫４８の詳細構成）
図３は、一実施形態に係る収納庫４８の外観構成の一例を示す概略斜視図である。収納庫４８は、所定の金種の紙幣束を収納する。図３に示すように、収納庫４８は、筐体１１０と、開閉部材の一例であるシャッタ１１２と、ストッパ１１４と、を有する。
【００３７】
筐体１１０は、内部に紙幣束を集積するように長方体形状に形成されている。筐体１１０の上部には、搬送路４０（図１）との間で紙幣束の出し入れをするための開口が形成されている。
【００３８】
シャッタ１１２は、筐体１１０の上部の開口に開閉可能に設けられている。具体的には、シャッタ１１２は、開口を塞ぐ閉位置と、開口を開放する開位置との間で開閉する。シャッタ１１２が開位置に位置する際に、収納庫４８と搬送路４０の間で紙幣束の受け渡しが行なわれる。なお、シャッタ１１２は、通常、収納庫４８が着脱部から取り出される際には閉じているが、使用者が収納庫４８から紙幣束を取出したり補充する場合には、着脱部から取り出される際にシャッタ１１２が開いている。
【００３９】
ストッパ１１４は、筐体１１０の上部に回動可能に設けられている。ストッパ１１４は、紙幣束が飛び出ないように静止させる静止位置（図３に示す位置）と、筐体１１０内に対して紙幣束を出し入れできる解除位置（図４に示す位置）との間で回動する。図３では、ストッパ１１４が４箇所設けられている。
【００４０】
図４は、一実施形態に係る収納庫４８Ａ〜４８Ｄ、及びハンドプッシャ部４４の構成の一例を示す概略図である。図４に示すように、収納庫４８は、収納部１２０と、ステージ１２２と、スプリング１２４と、計数センサ１２６と、空検知センサ１２８と、を有する。
【００４１】
収納部１２０には、図４に示すように上下方向（図４のＺ方向）に沿って紙幣束Ｔが集積されている。なお、図４に示すＸ方向が紙幣束Ｔの短手方向である。収納部１２０には、同一金種の紙幣束が収納されるように設定されている。
【００４２】
ステージ１２２は、紙幣束Ｔを支持する。ステージ１２２は、スプリング１２４により上下方向の上方へ付勢されている。このため、ストッパ１１４が解除位置に位置する際には、図４に示すように紙幣束Ｔが収納部１２０外に出る。一方で、ストッパ１１４が静止位置（図３）に位置する場合には、紙幣束Ｔが収納部１２０外に出ない（図５参照）。
【００４３】
計数センサ１２６は、収納部１２０の内部に設けられており、収納部１２０に集積された紙幣束を計数する。計数センサ１２６は、紙幣束の帯に対応する位置に、集積方向である上下方向に移動可能に設けられている。計数センサ１２６は、移動しながら集積された紙幣束の帯を検出することで、紙幣束の数を判別する。計数センサ１２６は、例えば反射センサであり、紙幣束の帯の部分での反射率と、帯以外の部分での反射率との違いを利用して、紙幣束の数を判別する。計数センサ１２６は、後述するように庫内精査処理の際に紙幣束を計数する。
【００４４】
空検知センサ１２８は、収納部１２０の上部に固定されている。空検知センサ１２８は、収納部１２０に紙幣束が収納されていない空状態を検知する。例えば、空検知センサ１２８が紙幣束の帯を検知しない場合に、空状態であると判定される。
【００４５】
（ハンドプッシャ部４４の詳細構成）
図４を参照しながら、ハンドプッシャ部４４の詳細構成の一例について説明する。図４に示すように、ハンドプッシャ部４４は、ハンド部１４０と、プッシャ部１５０と、を有する。ハンド部１４０とプッシャ部１５０は、独立して搬送路４０（図１）を移動可能に構成されている。
【００４６】
ハンド部１４０は、紙幣束を保持した状態で搬送する機能する。また、ハンド部１４０は、収納庫４８Ａ〜４８Ｄやオーバーフロー庫５２から搬送路４０へ紙幣束を排出させる排出部として機能する。ハンド部１４０は、保持部１４２（図７参照）と、ピックアップ部１４５と、を有する。
【００４７】
保持部１４２は、例えば紙幣束の長手方向の両端部を保持する爪状の部材である。保持部１４２が紙幣束を一束保持した状態でハンド部１４０が移動することで、紙幣束が一束ずつ搬送路４０内を搬送される。
【００４８】
ピックアップ部１４５は、収納部１２０から出た紙幣束を一束ずつずらす機能を有する。ハンド部１４０が移動する際にピックアップ部１４５が紙幣束を一束ずつずらすことで、保持部１４２が一束ずつ保持することになる。
【００４９】
プッシャ部１５０は、収納部１２０上に位置した際に収納部１２０へ向けて下降して、紙幣束を押し込み可能である。これにより、プッシャ部１５０は、搬送路４０から収納庫４８Ａ〜４８Ｄへ紙幣束を挿入させる挿入部としての機能を有する。
【００５０】
プッシャ部１５０には、金種判別センサ１５５が設けられている。金種判別センサ１５５は、収納庫４８Ａ〜４８Ｄの外部に設けられ、収納庫４８Ａ〜４８Ｄから出された紙幣束の金種を判別する判別部材である。金種判別センサ１５５は、対面する紙幣束の画像を取得して金種を判別する。金種判別センサ１５５は、後述するように庫外精査処理の際に、紙幣束の金種を判別する。金種判別センサ１５５を通過した紙幣束の数をカウントすることにより、紙幣束の計数が可能となる。
【００５１】
なお、上記では、金種判別センサ１５５がプッシャ部１５０の下面に設けられていることとしたが、これに限定されない。例えば、金種判別センサは、搬送路４０やエレベータ部３６に設けられても良い。また、上記では、収納庫４８にシャッタ１１２が設けられていることとしたが、これに限定されず、収納庫４８にシャッタが設けられていなくても良い。
【００５２】
＜３．精査処理について＞
紙幣束処理装置１０においては、収納庫４８Ａ〜４８Ｄに紙幣束が適切に収納されているかを確認するために、紙幣束の精査処理が行なわれる。本実施形態では、紙幣束処理装置１０の利用状況に応じて紙幣束の精査処理を適切に行うために、精査処理として、庫内精査処理と庫外精査処理のいずれかが行なわれる。
【００５３】
庫内精査処理は、収納庫４８Ａ〜４８Ｄ内に紙幣束を収納させた状態で行う精査処理であり、庫外精査処理は、収納庫４８Ａ〜４８Ｄの紙幣束を収納庫外へ移動させながら行う精査処理である。以下では、庫内精査処理を説明した後に、庫外精査処理について説明する。
【００５４】
（庫内精査処理）
図５を参照しながら、庫内精査処理について説明する。図５は、一実施形態に係る庫内精査処理の流れを説明するための模式図である。庫内精査処理は、４つの収納庫４８Ａ〜４８Ｄに対して行われるが、以下では収納庫４８Ａ（単に、収納庫４８と呼ぶ）を例に挙げて説明する。
【００５５】
ここでは、庫内精査処理の開始前に、図５の状態８０１に示すように、計数センサ１２６が収納部１２０の下方の待機位置に位置しているものとする。庫内精査処理が開始されると、計数センサ１２６は、状態８０２に示すように収納部１２０の上方の計数位置まで移動する。
【００５６】
計数センサ１２６は、紙幣束Ｔの帯に対応する位置に設けられた光学式の反射センサである。ここで、反射センサの出力は、光の反射率に応じて変化する。例えば、帯が巻かれている部分の光の反射率が高く、紙幣束と紙幣束の間の帯が巻かれていない部分の光の反射率が低い。このため、計数センサ１２６は、待機位置から計数位置へ移動する際に光の反射率が低い部分をカウントすることで、収納部１２０内の紙幣束Ｔの数を判定できる。
【００５７】
紙幣束の計数が終了すると、計数センサ１２６は、状態８０３に示すように待機位置まで移動する。これにより、庫内精査処理が完了する。庫内精査処理の場合には、計数センサ１２６が収納部１２０内を上下動するだけで済むので、精査処理に要する時間を短くできる。
【００５８】
（庫外精査処理）
図６Ａ、図６Ｂ、及び図７を参照しながら、庫外精査処理について説明する。図６Ａ及び図６Ｂは、一実施形態に係る庫外精査処理における紙幣束の移動の流れを説明するための模式図である。
【００５９】
ここでは、庫外精査処理の前に、図６Ａの状態８１１に示すように、収納庫４８Ａ〜４８Ｄにそれぞれ紙幣束が収納されているものとする。一例として、収納庫４８Ａ及び収納庫４８Ｂには万円札の紙幣束が収納され、収納庫４８Ｃ及び収納庫４８Ｄには千円札の紙幣束が収納されている。
【００６０】
庫外精査処理が開始されると、まず、収納庫４８Ａの万円札の紙幣束が出され、ハンドプッシャ部４４のハンド部１４０によって一束ずつエレベータ部３６へ搬送される。そして、収納庫４８Ａ内の紙幣束が全て搬送されることで、状態８１２に示すようにエレベータ部３６に紙幣束が集積され、収納庫４８Ａが空になる。本実施形態では、紙幣束が収納庫４８Ａから出されてエレベータ部３６へ搬送される際に、プッシャ部１５０に設けられた金種判別センサ１５５が、紙幣束の金種判別及び計数を行う。
【００６１】
図７は、庫外精査処理を行う際のハンドプッシャ部４４の動作の一例を示す模式図である。まず、ストッパ１１４が静止位置から解除位置へ可動して、図７に示す状態８２１に示すように、収納部１２０に収納された紙幣束が飛び出してハンドプッシャ部４４に接触するものとする。この際、金種判別センサ１５５が、集積された紙幣束Ｔのうち最上部に位置する紙幣束の画像を取得することで、当該紙幣束の金種を判別する。
【００６２】
次に、ハンド部１４０がエレベータ部３６へ向けて（矢印Ａで示す方向）移動を開始すると、状態８２２に示すようにピックアップ部１４５によって最上位の紙幣束がずれる。その後、保持部１４２が、状態８２３に示すように、ずれた紙幣束の長手方向の両端を保持する。その状態でハンド部１４０が更に移動すると、状態８２４に示すように収納部１２０の収納された次の紙幣束がハンドプッシャ部４４に接触する。その後も、同様にして紙幣束を搬送させる。なお、紙幣束を搬送しない場合には、状態８２５に示すように、プッシャ部１５０が下降して紙幣束を収納部１２０内に収納させる。
【００６３】
図６Ａの状態８１２に示すように収納庫４８Ａが空になった後、収納庫４８Ｂの万円札の紙幣束が、ハンドプッシャ部４４によって収納庫４８Ａへ搬送されて収納される。そして、収納庫４８Ｂ内の紙幣束が全て収納庫４８Ａへ収納されることで、図６Ｂの状態８１３に示すように収納庫４８Ｂが空になる。この際、金種判別センサ１５５は、収納庫４８Ｂから出される紙幣束についても、図７で説明した金種判別及び計数を行う。
【００６４】
状態８１３に示すように収納庫４８Ｂが空になった後、エレベータ部３６に集積された万円札が、ハンドプッシャ部４４によって収納庫４８Ｂへ搬送されて収納される。これにより、紙幣束を３回移動させることで、２つの収納庫４８Ａ、４８Ｂに収納された紙幣束の金種判別及び計数が行なわれ、庫外精査処理に要する時間を短縮できる。なお、上述した紙幣束の移動が行われることで、収納庫４８Ａ、４８Ｂにおいて、精査前後で紙幣束の集積順番が入れ替わる。すなわち、精査前の集積方向の最上位に位置していた紙幣束が、精査後に集積方向の最下位に位置する。
【００６５】
その後、収納庫４８Ｃ及び収納庫４８Ｄに収納された紙幣束についても、同様に精査処理が行なわれる。すなわち、収納庫４８Ｃに収納された千円札の紙幣束がエレベータ部３６に搬送される際に、収納庫４８Ｃに収納されていた紙幣束の金種判別及び計数が行なわれる。その後、収納庫４８Ｄに収納された千円札の紙幣束が収納庫４８Ｃに搬送されて収納される際に、収納庫４８Ｄに収納されていた紙幣束の金種判別及び計数が行われる。その後、エレベータ部３６に集積されていた千円札の紙幣束が、収納庫４８Ｄに収納されて、庫外精査処理が完了する。
【００６６】
なお、本実施形態においては、収納庫４８Ａ〜４８Ｄに紙幣束が収納されている場合を想定して説明したが、本発明はこれに限定されない。例えば、４８Ａ〜４８Ｄのいずれかの収納庫が空の状態であった場合は、その空の状態の収納庫をエレベータ部３６に代わって精査庫として用いてもよい。こうすることで、庫外精査処理における紙幣束の移動回数を低減することもできる。
【００６７】
＜４．紙幣束処理装置の機能構成＞
上述した構成を有する紙幣束処理装置１０は、装置の利用状況に応じて紙幣束の精査処理を適切に行うために、利用状況を判別して庫内精査処理と庫外精査処理のいずれかを行う制御を行う。かかる精査処理の制御を実現する機能構成について、図８を参照しながら説明する。
【００６８】
図８は、一実施形態に係る紙幣束処理装置１０の機能構成を示すブロック図である。図８に示すように、紙幣束処理装置１０は、検知部２１２と、記憶部２１４と、制御部２１６と、を有する。
【００６９】
（検知部２１２）
検知部２１２は、前回の精査処理以降に収納庫４８Ａ〜４８Ｄに使用者がアクセス可能な状態となっていたか否かを検知する。収納庫４８Ａ〜４８Ｄに使用者がアクセス可能な状態とは、例えば使用者が収納庫４８Ａ〜４８Ｄ内に紙幣束を新たに挿入することができる状態を言う。かかる場合には、収納庫４８Ａ〜４８Ｄに本来収納されない筈の金種の紙幣束が収納される恐れがある。一方で、アクセス可能でない状態とは、例えば使用者が収納庫４８Ａ〜４８Ｄに新たに紙幣束を挿入することができない状態を言う。かかる場合には、収納庫４８Ａ〜４８Ｄに適切な金種の紙幣束が収納されていることになる。
【００７０】
検知部２１２は、例えば、前回の精査処理以降に収納庫４８Ａ〜４８Ｄが着脱部１８０から外された場合に、収納庫４８Ａ〜４８Ｄにアクセス可能な状態となっていたと検知しても良い。また、検知部２１２は、前回の精査処理以降にシャッタ１１２が開いていた場合には、収納庫４８Ａ〜４８Ｄにアクセス可能な状態となっていたと検知しても良い。上記のいずれかの検知を行うことで、使用者が収納庫４８Ａ〜４８Ｄに新たに紙幣束を挿入する蓋然性が高い状態を特定できる。
【００７１】
上記の検知に限定されず、例えば、検知部２１２は、前回の精査処理以降にシャッタ１１２が開いた状態で、かつ収納庫４８Ａ〜４８Ｄが着脱部１８０から外された場合に、収納庫４８Ａ〜４８Ｄにアクセス可能な状態となっていたと検知しても良い。シャッタ１１２は通常処理の際に開閉されるケースがあるため、上記の検知の場合には、より正確に、使用者が収納庫４８Ａ〜４８Ｄに新たに紙幣束を挿入可能な状態を特定できる。
【００７２】
（記憶部２１４）
記憶部２１４は、検知部２１２によって収納庫４８Ａ〜４８Ｄにアクセス可能な状態となっていなかったと検知された場合に、アクセス可能な状態となっていたことを示すフラグ情報を記憶する。例えば、記憶部２１４は、アクセス可能な状態となっていたと検知された場合にはフラグをオンとして記憶され、アクセス可能な状態となっていなかったと検知された場合にはフラグをオフとして記憶する。
【００７３】
また、記憶部２１４は、制御部２１６が実行する精査処理に利用されるプログラムや各種データを記憶する。
【００７４】
（制御部２１６）
制御部２１６は、収納庫４８Ａ〜４８Ｄに収納された紙幣束の精査処理を行う。本実施形態に係る制御部２１６は、検知部２１２の検知結果に基づいて、庫内精査処理（図５）と庫外精査処理（図７）のいずれかを実行させる。
【００７５】
例えば、制御部２１６は、検知部２１２によって収納庫４８Ａ〜４８Ｄにアクセス可能な状態となっていなかったと検知された場合には、計数センサ１２６によって紙幣束を計数させる庫内精査処理を実行させる。これにより、精査処理を短時間に完了することができる。
【００７６】
一方で、制御部２１６は、検知部２１２によって収納庫４８Ａ〜４８Ｄにアクセス可能な状態となっていたと検知された場合には、金種判別センサ１５５によって紙幣束の金種判別及び計数を行わせる庫外精査処理を実行させる。これにより、使用者が収納庫４８Ａ〜４８Ｄに誤った金種を補充等しても、適切に検出できる。
【００７７】
上述したように、アクセス可能な状態か否かは、記憶部２１４にフラグ情報として記憶されている。このため、制御部２１６は、記憶部２１４に記憶されたフラグ情報に基づいて、庫内精査処理又は庫外精査処理を実行させても良い。例えば、制御部２１６は、記憶部２１４に記憶されたフラグがオンである場合には庫外精査処理を実行させ、記憶部２１４に記憶されたフラグがオフである場合には庫内精査処理を実行させる。これにより、庫内精査処理と庫外精査処理を簡易に制御できる。
【００７８】
制御部２１６は、精査処理が行われる迄、記憶部２１４に記憶されたフラグ情報を保持させる。具体的には、制御部２１６は、精査処理が行なわれる迄、オンであったフラグをオフに切り替えない。一方で、制御部２１６は、精査処理が行われると、収納庫４８Ａ〜４８Ｄに紙幣束が適切に収納されているので、オンであったフラグをオフに切り替える。これにより、アクセス可能な状態に対して精査処理が実際に行われたかを容易に判断できる。
【００７９】
また、制御部２１６は、精査処理に関して、表示部２１８による表示を制御する。例えば、制御部２１６は、紙幣束処理装置１０の初期動作時に、検知部２１２によって収納庫４８Ａ〜４８Ｄにアクセス可能な状態となっていたと検知された場合には、表示部２１８に精査処理の実行を促す表示を行わせても良い。
【００８０】
精査処理は、通常所定のタイミングで行われる。このため、アクセス可能な状態となっていたと検知されても、所定のタイミングで精査処理が行われない可能性がある。これに対して上述した表示を行わせることで、使用者は、所定のタイミングに達していなくても、強制的に精査処理を行わせることが可能となり、この結果、収納庫４８Ａ〜４８Ｄに紙幣束が適切に収納された状態に移行できる。
【００８１】
図９は、一実施形態に係る表示部２１８による表示例を示す模式図である。表示部２１８には、一例として「収納庫の精査処理を行う操作を行なって下さい」等のメッセージＭが表示される。かかる表示を見た使用者は、エラー状態を容易に認識でき、強制的に精査処理を行うための操作を行いやすくなる。表示部２１８には、図９に示すように精査処理を行わせる操作ボタンＢが表示されても良い。表示部２１８は、使用者が見やすいように、紙幣束処理装置１０の上部に取り付けられる。
【００８２】
また、制御部２１６は、紙幣束処理装置１０の初期動作時に、検知部２１２によって収納庫４８Ａ〜４８Ｄにアクセス可能な状態となっていたと検知された場合には、表示部２１８に精査処理（具体的には、庫外精査処理）を開始する旨の表示を行わせても良い。すなわち、所定のタイミングに達していなくても、強制的に庫外精査処理が実行されている旨の表示がされる。これにより、使用者は、表示部２１８の表示を見て、強制的に精査処理が実行されていることを容易に認識できる。
【００８３】
＜５．紙幣束処理装置の動作例＞
図１０を参照しながら、精査処理を行う際の紙幣束処理装置１０の動作例について説明する。紙幣束処理装置１０の動作は、制御部２１６（図８）によって実行される。すなわち、制御部２１６が、記憶部２１４に記憶されたプログラムを実行することで、下記に説明する動作を実行する。
【００８４】
図１０は、一実施形態に係る紙幣束処理装置１０の動作例を説明するためのフローチャートである。図１０のフローチャートは、前回の精査処理が完了したところから開始される（ステップＳ１０２）。精査処理が完了したことで、記憶部２１４に記憶されたフラグはオフである。その後、検知部２１２は、前回の精査処理以降に収納庫４８Ａ〜４８Ｄに使用者がアクセス可能な状態となっていたか否かを検知する（ステップＳ１０４）。
【００８５】
そして、アクセス可能な状態となっていたと検知された場合には（ステップＳ１０６：Ｙｅｓ）、制御部２１６は、記憶部２１４に記憶されたフラグをオンにする（ステップＳ１０８）。一方で、アクセス可能な状態となっていないと検知された場合には、フラグの状態が維持される。
【００８６】
次に、制御部２１６は、精査処理を行う所定のタイミングに達したか否かを判定する（ステップＳ１１０）。ステップＳ１１０で精査処理を行うタイミングになった場合には（Ｙｅｓ）、制御部２１６は、記憶部２１４のフラグがオンになっているか否かを判定する（ステップＳ１１２）。
【００８７】
そして、ステップＳ１１２でフラグがオンになっている場合には（Ｙｅｓ）、制御部２１６は、前回の精査処理後に使用者が収納庫４８Ａ〜４８Ｄにアクセスした可能性があるものと判断し、庫外精査処理を実行させる（ステップＳ１１４）。すなわち、図７に示すように、収納庫４８Ａ〜４８Ｄから紙幣束を出させて、金種判別センサ１５５により紙幣束の金種判別及び計数が行なわれる。これにより、使用者が収納庫４８Ａ〜４８Ｄに誤った金種の紙幣束を挿入しても、その紙幣束を適切に検出できる。
【００８８】
庫外精査処理が完了すると、制御部２１６は、記憶部２１４のフラグをオフに切り替える（ステップＳ１１６）。その後、上述したステップＳ１０４以降の処理が繰り返される。
【００８９】
ステップＳ１１２でフラグがオフになっている場合には（Ｎｏ）、制御部２１６は、前回の精査処理後に使用者が収納庫４８Ａ〜４８Ｄにアクセスしていないと判断し、庫内精査処理を実行させる（ステップＳ１１８）。すなわち、図５に示すように、収納庫４８Ａ〜４８Ｄに紙幣束を収納させた状態で、計数センサ１２６により紙幣束を計数が行なわれる。これにより、精査処理を短時間に行うことができる。その後、上述したステップＳ１０４以降の処理が繰り返される。
【００９０】
＜６．まとめ＞
かかる紙幣束処理装置１０によれば、制御部２１６は、精査処理を行う際に、検知部２１２によって収納庫４８Ａ〜４８Ｄにアクセス可能な状態となっていなかったと検知された場合には、計数センサ１２６によって紙幣束を計数させる（庫内精査処理）。一方で、制御部２１６は、検知部２１２によって収納庫４８Ａ〜４８Ｄにアクセス可能な状態となっていたと検知された場合には、金種判別センサ１５５によって紙幣束の金種を判別させる（庫外精査処理）。
【００９１】
収納庫４８Ａ〜４８Ｄにアクセス可能な状態となっていなかった場合には、収納庫４８Ａ〜４８Ｄに誤った金種の紙幣束が収納される恐れが無いので、計数センサ１２６による紙幣束の計数のみで正しい精査を行える。一方で、収納庫４８Ａ〜４８Ｄにアクセス可能な状態となっていた場合には、収納庫４８Ａ〜４８Ｄに誤った金種の紙幣束が収納される恐れがあるので、金種判別センサ１５５によって金種を判別することで正しい精査を行える。従って、上述した紙幣束処理装置１０によれば、装置の利用状況に応じて紙幣束の精査処理を適切に行うことが可能となる。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９３】
１０    紙幣束処理装置
３６    エレベータ部
４０    搬送路
４４    ハッドプッシャ部
４８Ａ〜４８Ｄ    収納庫
５２    オーバーフロー庫
１１２    シャッタ
１２６    計数センサ
１４０    ハンド部
１５０    プッシャ部
１５５    金種判別センサ
１８０    着脱部
２１２    検知部
２１４    記憶部
２１６    制御部
２１８    表示部
【図１】
2015132911.tif 000003
【図２】
2015132911.tif 000004
【図３】
2015132911.tif 000005
【図４】
2015132911.tif 000006
【図５】
2015132911.tif 000007
【図６Ａ】
2015132911.tif 000008
【図６Ｂ】
2015132911.tif 000009
【図７】
2015132911.tif 000010
【図８】
2015132911.tif 000011
【図９】
2015132911.tif 000012
【図１０】
2015132911.tif 000013